(57)【要約】【課題】構成機器の汎用性、及び装置全体の設計業務の汎用性を高めることにより、コスト軽減を行うと共に、納期の短縮を可能とした換気装置を提供すること。【解決手段】本体１内に全熱交換装置２３、給気ファン装置２１、排気ファン装置２２を備えた換気装置であって、本体１内の給気通路及び排気通路が全熱交換装置２３の配置部分において分岐され、この分岐数に対応して全熱交換装置２３が複数の全熱交換エレメント２３１に分割されている。そして、この全熱交換エレメント２３１において、給気通路側の分岐通路４３を流通する室外空気と排気通路側の分岐通路４５を流通する室内空気とが全熱交換されるように構成されている。【選択図】図７
2013096629.tif 000002
【特許請求の範囲】
【請求項１】
本体（１）の上部外面に、室外空気を吸い込む室外吸込口（２）、吸い込まれた室外空気を室内へ給気する室内給気口（３）、室内空気を吸い込む室内吸込口（５）、吸い込まれた室内空気を室外へ排気する室外排気口（６）からなるダクト接続口が形成されるとともに、この本体（１）内に、室外吸込口（２）から室内給気口（３）に至る給気通路（２０Ａ）と、室内吸込口（４）から室外排気口（５）に至る排気通路（２０Ｂ）とが形成され、さらに、この本体（１）内に、給気通路（２０Ａ）を流通する室外空気と排気通路（２０Ｂ）を流通する室内空気とを全熱交換させる全熱交換装置（２３）と、室外空気を室内へ給気するための給気ファン装置（２１）と、室内空気を室外へ排気するための排気ファン装置（２２）とが収納された換気装置であって、
給気通路（２０Ａ）及び排気通路（２０Ｂ）は、全熱交換装置（２３）が配置される部分においてそれぞれ分岐され、この分岐数に対応して前記全熱交換装置（２３）が複数の全熱交換エレメント（２３１）に分割され、給気通路側の分岐通路（４３）を流通する室外空気と排気通路側の分岐通路（４５）を流通する室内空気とが全熱交換エレメント（２３１）により全熱交換されるように構成されている
ことを特徴とする換気装置。
【請求項２】
請求項１記載の換気装置において、
給気ファン装置（２１）は、前記複数の給気通路側の分岐通路（４３）における全熱交換エレメント（２３１）の下流側に分散配置された複数台の給気ファン（２１１）から構成され、同様に、排気ファン装置（２２）は、前記複数の排気通路側の分岐通路（４５）における全熱交換エレメント（２３１）の下流側に分散配置された複数台の排気ファン（２２１）から構成されている
ことを特徴とする換気装置。
【請求項３】
請求項２記載の換気装置において、
本体（１）は、外面に前記ダクト接続口が形成されたダクト接続部（３０）と、前記各分岐通路（４３，４５）、全熱交換エレメント（２３１）、給気ファン（２１１）並びに排気ファン（２２１）をそれぞれ一つずつ有するとともに、給気通路側の分岐通路（４３）が室外吸入口（２）に、排気通路側の分岐通路（４５）が室外排気口（６）にそれぞれ連通するようにダクト接続部（３０）の下部に接続された複数の熱交分岐ユニット部（４０Ａ）からなる熱交ユニット部（４０）と、室内空気を搬送する排気連通路（６３）、並びに、室外空気を搬送する給気連通路（６２）を有するとともに、排気連通路（６３）の一端が室内吸込口（４）に、給気連通路（６２）の一端が室外給気口（３）にそれぞれ連通するようにダクト接続部（３０）の下部に接続された連通路部（６０）と、排気連通路（６３）の他端と複数の排気通路側の分岐通路（４５）とを連絡する排気側連絡空間（５０ａ）、並びに、給気連通路（６２）の他端と複数の給気通路側の分岐通路（４３）とを連絡する給気側連絡空間（５０ｂ）を有するように、熱交ユニット部（４０）と連通路部（６０）とにまたがってこれらの下方に接続された連絡空間部（５０）とを備えている
ことを特徴とする換気装置。
【請求項４】
請求項３記載の換気装置において、
給気側連絡空間（５０ｂ）が、各熱交分岐ユニット部（４０Ａ）の給気通路側の分岐通路（４３）に対し個別に連絡される複数の分岐空間部（５０２ｂ）に分岐され、各分岐空間部（５０２ｂ）に加湿器（２４）と加熱又は冷却用の熱交換器（２５）とが配置されている
ことを特徴とする換気装置。
【請求項５】
請求項３又は４記載の換気装置において、
各熱交分岐ユニット部（４０Ａ）に配置された全熱交換エレメント（２３１）は、それそれ、空気通過面上における長手方向に複数に分割された、複数の分割全熱交換エレメント（２３１ａ）からなる
ことを特徴とする換気装置。
【請求項６】
請求項１〜５のいずれか１項に記載の換気装置において、
給気ファン装置（２１）及び排気ファン装置（２２）は、本体（１）の前面又は背面からサービスできるように構成されている
ことを特徴とする換気装置。
【請求項７】
請求項５記載の換気装置において、
複数の熱交分岐ユニット部（４０Ａ）は、それぞれ、空気通過面上における長手方向と直交する本体（１）の一面から本体内に対し、全熱交換エレメント（２３１）を構成する複数の分割全熱交換エレメント（２３１ａ）をスライド式に着脱可能に構成されている
ことを特徴とする換気装置。
【請求項８】
請求項１〜７のいずれか１項に記載の換気装置において、
ダクト接続部（３０）は、本体（１）の最上部に配置されるとともに、室外吸込口（２）、室内給気口（３）、室内吸込口（４）、及び室外排気口（５）がダクト接続部（３０）の天面に配置されている
ことを特徴とする換気装置。
【発明の詳細な説明】
【技術分野】
【０００１】
本願発明は、室内空気を室外へ排気し、この排気量に見合う室外空気を室内へ給気するいわゆる換気運転を行う換気装置に関わり、特に、換気運転時に室内空気と室外空気との間で全熱交換させる全熱交換装置を備えた換気装置に関する。
【背景技術】
【０００２】
従来、換気運転時に室内排気と室外空気との間で熱交換させることにより、室外に排気する室内空気から熱回収するようにした換気装置として、特許文献１に開示されているようなものが知られている。この換気装置においては、熱回収を効率よく行うために、室内空気と室外空気との間で顕熱のみならず潜熱をも熱交換させるいわゆる全熱交換エレメントが使用されている。また、特許文献１に記載された換気装置は、この装置の設置作業及び内部機器の点検などのメンテナンス作業を容易化するために、給排気ダクトの全てを換気装置の天上面などの上部に接続させることにより、換気装置の周囲に前記作業スペースをできるだけ大きく取れるように配慮されている。
【先行技術文献】
【特許文献】
【０００３】
【特許文献１】国際公開第２００８／０１８３６１号パンフレット
【発明の概要】
【発明が解決しようとする課題】
【０００４】
ところで、このような換気装置は、量産品ではなく用途に応じて設計されるという、いわゆる注文生産的な面がある。このため、このような換気装置は、全熱交換エレメント、給気ファン、排気ファン、給気を加湿するための加湿器、給気を加熱又は冷却するための熱交換器等の構成機器の設計や仕様の選択をはじめ、これら構成機器を組み込むための全体設計をその都度行わなければならないという問題があり、汎用性を持たせた設計を行うことが必要とされていた。しかしながら、上記従来の換気装置では、未だこのような面について改善の余地が残されていた。
【０００５】
本発明は、このような観点に立ち、構成機器の汎用性、及び装置全体の設計業務の汎用性を高めることにより、コスト軽減を行うと共に、納期の短縮を可能とした換気装置を提供することを目的とする。
【課題を解決するための手段】
【０００６】
請求項１に記載の発明は、本体の上部外面に、室外空気を吸い込む室外吸込口、吸い込まれた室外空気を室内へ給気する室内給気口、室内空気を吸い込む室内吸込口、吸い込まれた室内空気を室外へ排気する室外排気口からなるダクト接続口が形成されるとともに、この本体内に、室外吸込口から室内給気口に至る給気通路と、室内吸込口から室外排気口に至る排気通路とが形成され、さらに、この本体内に、給気通路を流通する室外空気と排気通路を流通する室内空気とを全熱交換させる全熱交換装置と、室外空気を室内へ給気するための給気ファン装置と、室内空気を室外へ排気するための排気ファン装置とが収納された換気装置であって、給気通路及び排気通路は、全熱交換装置が配置される部分においてそれぞれ分岐され、この分岐数に対応して前記全熱交換装置が複数の全熱交換エレメントに分割され、給気通路側の分岐通路を流通する室外空気と排気通路側の分岐通路を流通する室内空気とが全熱交換エレメントにより全熱交換されるように構成されていることを特徴とする。
【０００７】
上記構成によれば、給気通路及び排気通路は、全熱交換装置が配置される部分においてそれぞれ分岐され、この分岐数に対応して全熱交換装置が複数の全熱交換エレメントに分割され、給気通路側の分岐通路を流通する室外空気と排気通路側の分岐通路を流通する室内空気とが全熱交換エレメントにより全熱交換されるように構成されている。したがって、この分岐数を増減させることにより全熱交換可能な換気装置の容量を段階的に変化させることができる。また、全熱交換エレメントを含むその周辺を共通化すれば、分岐数の増減を容易化することができ、これにより異なる容量の機種を同一設計思想の下に系列化することができる。また、このような設計思想の共通化及び全熱交換エレメントを含む部品の共通化により、コスト軽減を行うと共に、納期の短縮を行うことができる。
【０００８】
請求項２に記載の発明は、請求項１記載の発明において、給気ファン装置は、前記複数の給気通路側の分岐通路における全熱交換エレメントの下流側に分散配置された複数台の給気ファンから構成され、同様に、排気ファン装置は、前記複数の排気通路側の分岐通路における全熱交換エレメントの下流側に分散配置された複数台の排気ファンから構成されていることを特徴とする。
【０００９】
上記構成によれば、給気通路側の分岐通路および排気通路側の分岐通路に給気ファン、排気ファン及び全熱交換エレメントが配置されているので、これら部品の共通化により給気通路及び排気通路の分岐数に対応する容量の機種を系列化することができる。また、これら部品の共通化により、給気通路及び排気通路の分岐数の増減をより一層容易化することができる。また、これにより、より一層のコスト軽減を行うと共に、納期の短縮を行うことができる。
【００１０】
請求項３に記載の発明は、請求項２記載の発明において、本体は、外面に前記ダクト接続口が形成されたダクト接続部と、前記各分岐通路、全熱交換エレメント、給気ファン並びに排気ファンをそれぞれ一つずつ有するとともに、給気通路側の分岐通路が室外吸入口に、また、排気通路側の分岐通路が室外排気口にそれぞれ連通するようにダクト接続部の下部に接続された複数の熱交分岐ユニット部からなる熱交ユニット部と、室内空気を全熱交換エレメントへ搬送するための排気連通路、並びに、全熱交換エレメントで熱交換された室外空気を室内へ搬送するための給気連通路を有するとともに、排気連通路の一端が室内吸込口に、また、給気連通路の一端が室外給気口にそれぞれ連通するようにダクト接続部の下部に接続された連通路部と、排気連通路の他端と複数の排気通路側の分岐通路とを連絡する排気側連絡空間、並びに、給気連通路の他端と複数の給気通路側の分岐通路とを連絡する給気側連絡空間を有するように、熱交ユニット部と連通路部とにまたがってこれらの下方に接続された連絡空間部とを備えていることを特徴とする。
【００１１】
上記構成によれば、本体が、ダクト接続部、熱交ユニット部、連通路部、連絡空間部とに区分されるので、これら区分毎に仕様を標準化することができる。また、熱交ユニット部については、これを構成する熱交分岐ユニット部を標準化することができる。したがって、標準化された熱交分岐ユニット部の個数を決定し、熱交分岐ユニット部を一定の方向に配列することにより、換気装置の容量及び熱交ユニット部の形状寸法を容易に定めることができる。また、ダクト接続部、連通路部、及び連絡空間部の形状及び寸法を熱交ユニット部に対応させて定めれば、熱交分岐ユニット部の個数に対応した容量の換気装置を容易に設計することができる。
【００１２】
請求項４に記載の発明は、請求項３記載の発明において、給気側連絡空間が、各熱交分岐ユニット部の給気通路側の分岐通路に対し個別に連絡される複数の分岐空間部に分岐され、各分岐空間部に加湿器と加熱又は冷却用の熱交換器とが配置されていることを特徴とする。
【００１３】
上記構成によれば、連絡空間部における給気側連絡空間の各分岐空間部に、加湿器と加熱又は冷却用の熱交換器とが配置されているので、これら機器を作動させることにより、室内の温度及び湿度を効率よく調節する換気運転を行うことができる。
【００１４】
請求項５に記載の発明は、請求項３又は４記載の発明において、各熱交分岐ユニット部に配置された全熱交換エレメントは、それそれ、空気通過面上における長手方向に複数に分割された、複数の分割全熱交換エレメントからなることを特徴とする。
【００１５】
上記構成によれば、前記のように熱交分岐ユニット部の個数を変更することに加え、各熱交分岐ユニット部に配置された全熱交換エレメントを構成する分割全熱交換エレメントの数を変更することにより、換気装置の容量を変更することもできる。これにより、換気装置の容量変更をきめ細かく行うことができる。
【００１６】
請求項６に記載の発明は、請求項１〜５の何れか１項に記載の発明において、給気ファン装置及び排気ファン装置は、本体の前面又は背面からサービスできるように構成されていることを特徴とする。
【００１７】
上記構成によれば、給気ファン装置及び排気ファン装置は、前面又は後面から点検、交換などのサービスを行うことが可能となるので、これらサービスの容易化を図ることができる。
【００１８】
請求項７に記載の発明は、請求項５記載の発明において、複数の熱交分岐ユニット部は、それぞれ、空気通過面上における長手方向と直交する本体の一面から本体内に対し、全熱交換エレメントを構成する複数の分割全熱交換エレメントをスライド式に着脱可能に構成されていることを特徴とする。
【００１９】
上記構成によれば、前記複数の熱交分岐ユニット部は、それぞれ、全熱交換エレメントの空気通過面と直交する一面から、複数の分割全熱交換エレメントをスライド式に着脱可能に形成されているので、全熱交換エレメントの清掃、交換などのサービスを容易に行うことができる。
【００２０】
請求項８に記載の発明は、請求項１〜７の何れか１項に記載の発明において、ダクト接続部は、本体の最上部に配置されるとともに、室外吸込口、室内給気口、室内吸込口、及び室外排気口がダクト接続部の天面に配置されていることを特徴とする。
【００２１】
上記構成によれば、ダクト引き回しのスペースを天井裏等の本体の上部とすることができる。これにより、本体の周囲に、本体の内部に収納される装置の設置作業及び内部機器の点検などのメンテナンス作業のスペースを広く採ることができる。
【発明の効果】
【００２２】
本発明によれば、全熱交換装置が配置される部分における給気通路及び排気通路の分岐数を増減させることにより全熱交換可能な換気装置の容量を段階的に変化させることができる。また、全熱交換エレメントを含むその周辺を共通化すれば、分岐数の増減を容易化することができ、これにより異なる容量の機種を同一設計思想の下に系列化することができる。また、このような設計思想の共通化及び全熱交換エレメントを含む部品の共通化により、コスト軽減を行うと共に、納期の短縮を行うことができる。
【図面の簡単な説明】
【００２３】
【図１】本発明の実施の形態に係る換気装置の、前面側から見た外観斜視図である。
【図２】同換気装置の給気通路における空気の流通経路を模式的に示した系統図である。
【図３】同換気装置の排気通路における空気の流通経路を模式的に示した系統図である。
【図４】同換気装置において、全熱交換エレメント及び加湿器の、本体からの取り出し状態を示した斜視図である。
【図５】同換気装置における分割全熱交換エレメントの斜視図である。
【図６】同換気装置の正面図であって、前面側から見た機器配置及び内部の仕切壁を模式的に示した図面である。
【図７】同換気装置の左側面図であって、左側面側から見た機器配置及び内部の仕切壁を模式的に示した図面である。
【図８】同換気装置におけるダクト接続部のケーシング構造を、前面板及び天面板を省略して模式的に示した斜視図である。
【図９】同換気装置における連通路部のケーシング構造を、前面板及び上水平仕切壁を省略して模式的に示した斜視図である。
【図１０】同換気装置における熱交ユニット部の機器配置及びケーシング構造を、前面板及び上水平仕切壁を省略して模式的に示した斜視図である。
【図１１】同換気装置における連絡空間部のケーシング構造を、前面板及び下水平仕切壁等を省略して模式的に示した斜視図である。
【発明を実施するための形態】
【００２４】
以下図面を参照しながら、本発明の実施の形態について説明する。なお、以下の説明において、前後方向、左右方向及び上下方向（又は高さ方向）をいうときは、図１に示されている方向をいうものとする。
【００２５】
本実施の形態に係る換気装置は、室内の床面に設置される、いわゆる床置形である。この換気装置は、図１に示すように、前後方向の奥行き寸法が、左右方向の幅寸法より小さい直方体形状の本体１を備えている。
【００２６】
本体１の上部外面、特にこの実施の形態においては天面に複数の接続口からなるダクト接続口が形成されている。このダクト接続口は、換気のために室外空気を吸い込む室外吸込口２、室外吸込口２から吸い込まれた室外空気を室内へ給気する室内給気口３、換気のために室内空気を吸い込む室内吸込口４、室内吸込口４から吸い込まれた室内空気を室外へ排気する室外排気口５からなっている。なお、図中、ＯＡは室外吸込口２から吸い込まれる室外空気を、ＳＡは室内給気口３から室内へ導入される給気（すなわち、室外空気）を、ＲＡは室内吸込口４から吸い込まれる還気（すなわち、室内空気）を、ＥＡは室外排気口５から排出される排気（すなわち、室内空気）をそれぞれ意味する。
【００２７】
本体１の前面には、上前面パネル１１及び下前面パネル１２がそれぞれ着脱自在に取り付けられている。上前面パネル１１は、これを着脱することにより内部に搭載されている機器、具体的には後述する給気ファン、排気ファン等をサービスすることできるように形成されている。また、下前面パネル１２は、これを着脱することにより内部に搭載されている機器、具体的には後述する加湿器等をサービスすることできるように形成されている。なお、図示しないが、後面にも、前面と同様の着脱自在のパネルが上下に取り付けられている。
【００２８】
本体１の左側面の上部には、後述する全熱交換エレメントを着脱するための上サービス蓋１３，１４が前後に設けられている。また、本体１の左側面下部には、後述する加湿器を着脱するための下サービス蓋１５，１６が前後に設けられている。また、本体１の左側面中央部には、電装品箱１７が設けられている。
【００２９】
本体１は、図２に示すように、室外吸込口２から室内給気口３に至る給気通路２０Ａを内部に形成するように構成されている。また、本体１は、図３に示すように、室内吸込口４から室外排気口５に至る排気通路２０Ｂを内部に形成するように構成されている。
【００３０】
給気通路２０Ａは、図２に示すように、室外吸込口２から吸い込まれた室外空気（室外空気ＯＡ）を、ダクト接続部３０、熱交ユニット部４０、連絡空間部５０、連通路部６０、ダクト接続部３０、室内給気口３と循環させ、（給気ＳＡとして）室内給気口３から室内へ給気するように形成されている。また、排気通路２０Ｂは、図３に示すように、室内吸込口４から吸い込まれた室内空気（還気ＲＡ）を、ダクト接続部３０、連通路部６０、連絡空間部５０、熱交ユニット部４０、ダクト接続部３０、室外排気口５と循環させ、（排気ＥＡとして）室外排気口５から排気するように形成されている。
【００３１】
また、図２及び図３から分かるように、本体１は、室外空気を室内へ給気するための複数の、この場合２台の給気ファン２１１からなる給気ファン装置２１と（図２参照）、室内からの室内空気を室外へ排気するための複数の、この場合２台の排気ファンからなる排気ファン装置２２を備えている（図３参照）。また、本体１は、給気通路２０Ａを流通して室内へ給気される室外空気と排気通路２０Ｂを流通して室外へ排気される室内空気とを全熱交換させる全熱交換装置２３を内部に備えている。さらに、この実施の形態において、本体１は、図２に示すように、全熱交換装置２３で全熱交換された後の、室内に給気される室外空気を加湿するための加湿器２４、及び、室内に給気される室外空気を加熱又は冷却するための熱交換器２５を内部に備えている。
【００３２】
ダクト接続部３０は、図６から分かるように、本体１の最上部の一定高さ部分に形成されたものである。ダクト接続部３０は、図８に示すように、前後面に亘る二つの仕切壁３１，３２と、右前部のコーナ部を仕切るＬ字形の仕切壁３３とにより、四つの空間部３５，３６，３７，３８に仕切られている。なお、図８を含む本明細書に添付の図面は、板材を実線で（隠れた部分は破線で）示したものである。また、図８〜図１１は、内部構造を理解しやすいように、適宜天面板、前面板等の外板を省略し、内部の構造を理解し易いように示した模式構造図である。
【００３３】
四つの空間部３５，３６，３７，３８は、図６、図８に示すように、左から室外吸込口２に連通する空間部３５、室外排気口５に連通する空間部３８、室内吸込口４に連通する空間部３７、室内給気口３に連通する空間部３６として形成されている。また、ダクト接続部３０とその下方の熱交ユニット部４０及び連通路部６０との間には、本体１を水平に横断する上水平仕切壁１ａが設けられている。
【００３４】
熱交ユニット部４０は、図６に示すように、ダクト接続部３０の下方の、本体１の高さ方向中央部の左側部分を成す。なお、熱交ユニット部４０と、本体１の高さ方向中央部の右側部分を成す連通路部６０との間には、本体１の高さ方向中間部分を左右に仕切る縦仕切壁１ｂが形成されている。また、熱交ユニット部４０及び連通路部６０の下方に位置する、本体１の下部には連絡空間部５０が形成されている。なお、熱交ユニット部４０及び連通路部６０と連絡空間部５０との間には、本体１を水平に横断する下水平仕切壁１ｃが形成されている。
【００３５】
熱交ユニット部４０は、図７及び図１０に示すように、縦仕切壁４１により前後に区画され、同一構造の２個の熱交分岐ユニット部４０Ａが前後に配置された構造となされている。２個の熱交ユニット部４０は、それぞれ、内部に給気ファン装置２１、排気ファン装置２２、及び全熱交換装置２３を備えたものであって、同一構造を成している。図１０において、後部の熱交分岐ユニット部４０Ａは、前部の熱交分岐ユニット部４０Ａから理解できる部分については省略して記載されている。
【００３６】
給気ファン装置２１は、図７に示すように、２個の熱交分岐ユニット部４０Ａ内に１個ずつ配置された２個の給気ファン２１１からなる。また、排気ファン装置２２は、２個の熱交分岐ユニット部４０Ａ内に１個ずつ配置された２個の排気ファン２２１からなる。そして、全熱交換装置２３は、２個の熱交分岐ユニット部４０Ａ内に１個ずつ配置された２個の全熱交換エレメント２３１からなる。
【００３７】
全熱交換エレメント２３１は、図６及び図１０から分かるように、熱交分岐ユニット部４０Ａの中央高さ位置において、左右方向幅一杯に横たわる大きさで配置されている。また、全熱交換エレメント２３１は、図４及び図１０に示すように、断面正方形である。そして、全熱交換エレメント２３１は、この正方形における対向する二つの角部が上下となり、かつ熱交分岐ユニット部４０Ａの前後方向の中央部に位置するように配置されている。
【００３８】
熱交分岐ユニット部４０Ａは、図１０に示すように、全熱交換エレメント２３１の上部の、左後側の角部を仕切る平面視Ｌ字形の仕切壁４２を有している。そして、この仕切壁４２の後側に、給気通路２０Ａを分岐する、給気通路側の分岐通路４３が形成されている。この分岐通路４３は、図２及び図１０から分かるように、給気通路２０Ａの一部を成すものであって、上水平仕切り板に形成された開口部３５ａと、全熱交換エレメント２３１における、室内へ給気される室外空気の流入面とを接続している。また、分岐通路４３は、このように構成されているため、上部が開口部３５ａを介し空間部３５（図８参照）に連通され、さらに、この空間部３５を介し室外吸込口２に連通されている。なお、図１０においては、仮想線により開口部３５ａの位置が仮想的に示されている。
【００３９】
また、この仕切壁４２の下端右側、すなわち全熱交換エレメント２３１の上端角部の後側における右半分の部分に水平仕切壁４４（図３及び図１０参照）が形成されている。これにより、給気通路側の分岐通路４３は、右側に拡大されて、全熱交換エレメント２３１の幅一杯に拡がるように形成されている。
【００４０】
また、熱交分岐ユニット部４０Ａは、図１０に示すように、全熱交換エレメントの２３１下部の、右後側の角部を仕切る平面視Ｌ字形の仕切壁４６を有している。そして、この仕切壁４６の後側に、排気通路２０Ｂを分岐する、排気通路側の分岐通路４５が形成されている。この分岐通路４５は、図３及び図１０から分かるように、排気通路２０Ｂの一部を成すものであって、下水平仕切壁に形成された開口部４５ａと全熱交換エレメント２３１における、室外へ排気される室内空気の流入面とを接続している。また、分岐通路４５は、このように構成されているため、下部が開口部４５ａを介し連絡空間部５０の排気側連絡空間５０ａに連通されている。
【００４１】
また、この仕切壁４６の上端左側、すなわち全熱交換エレメント２３１の下端角部の後側における左半分の部分に水平仕切壁４８（図２及び図１０参照）が形成されている。これにより、排気通路側の分岐通路４５は、左側に拡大されて、全熱交換エレメント２３１の幅一杯に拡がるように形成されている。
【００４２】
そして、この仕切壁４６の前側及び左側のスペースは、給気通路側の分岐通路４３の一部を成し、このスペースにモータ駆動の給気ファン２１１が配置されている（図１０参照）。また、この給気通路側の分岐通路４３の下部は、それぞれ、下水平仕切壁１ｃに形成された開口部４３ａを介し連絡空間部５０に連通されている。
【００４３】
また、前述の平面視Ｌ字形の仕切壁４２の前側及び右側のスペースは、排気通路側の分岐通路４５の一部を成し、このスペースにモータ駆動の排気ファン２２１が配置されている（図１０参照）。また、この分岐通路４５の上部は、それぞれ、上水平仕切壁１ａに形成された開口部３８ａ（図８参照）を介し空間部３８に連通され、さらに、この空間部３８を介し室外排気口５に連通されている。
【００４４】
また、熱交分岐ユニット部４０Ａに配設される全熱交換エレメント２３１は、図４及び図５に示されるように、空気通過面上における長手方向に複数に（この実施の形態においては２個に）分割されている。すなわち、全熱交換エレメント２３１は、２個の分割全熱交換エレメント２３１ａからなる。そして、熱交分岐ユニット部４０Ａは、図４に示すように、左側面の上サービス蓋１３，１４を開放することにより、本体１内に対し複数の（２個の）分割全熱交換エレメント２３１ａを枠部材２３２（図４参照）内からスライド式に取り出し又は収納可能に構成されている。
【００４５】
分割全熱交換エレメント２３１ａは、図５に示すように、左右の端面が正方形の四角柱状に形成されている。また、分割全熱交換エレメント２３１ａは、並列に配置された複数の平板部材２３１１の間に波板部材２３１２，２３１３が挟まれたものである。これにより、波状により形成される空気通路２３１４，２３１５が平板部材２３１１を挟んで直交して流通するように形成されている。図５において、左右方向に通じる空気通路２３１４は、給気通路側の分岐通路４３に通じる室外空気の流路として使用され、他方の空気通路２３１５は、排気通路側の分岐通路４５に通じる室内空気の流路として使用される。また、このように室外空気と室内空気とが流通されることにより、平板部材２３１１を介して両空気間において全熱交換が行われる。
【００４６】
なお、分割全熱交換エレメント２３１ａの平板部材２３１１は、例えば紙などの透湿性の材料で構成されている。これにより、空気通路２３１４を流通する室外空気と空気通路２３１５を流通する室内空気との間で、熱と水分が移動するいわゆる全熱交換が行われている。
【００４７】
熱交ユニット部４０は、以上のように構成されていることにより、全熱交換装置２３が配置されている部分において、すなわち、全熱交換エレメント２３１において、給気通路側の分岐通路４３を流通する室外空気と排気通路側の分岐通路４５を流通する室内空気とが全熱交換されるように構成されている。
【００４８】
連絡空間部５０は、図６及び図７に示すように、下水平仕切壁１ｃを介し、本体１における熱交ユニット部４０及び連通路部６０の下方に位置し、本体１の下部を成す。
連絡空間部５０は、図６及び図１１から分かるように、底部に前後中央部を境にして２個のドレンパン５１が併設されている。また、ドレンパン５１の上部は、図１１に示すように、段状仕切壁５２により左右に分割されている。上方から見た段状仕切壁５２の右後側のＬ字形部分は、平面視Ｌ字型の縦仕切壁５４と水平仕切壁５５とにより高さ方向の上半分に仕切られた空間部に形成されている。この空間部は、排気通路２０Ｂの一部を成すこのであって、排気側連絡空間５０ａを形成する。また、この排気側空間部５０ａ以外の空間部は、給気側連絡空間５０ｂを成す。
【００４９】
排気側連絡空間５０ａは、下水平仕切壁１ｃに形成された開口部４５ａ（図１０、図１１参照）を介し、各熱交分岐ユニット部４０Ａの排気通路側の分岐通路４５の下方部に連通されている。なお、図１１においては開口部４５ａの位置を示すために、開口部４５ａが、仮想線により仮想的に示されている。また、排気側連絡空間５０ａは、下水平仕切壁１ｃに形成された開口部６３ａ（図９参照）を介し、連通路部６０の排気連通路６３に連通されている。
【００５０】
連絡空間部５０における給気側連絡空間５０ｂは、段状仕切壁５２の右側と段状仕切壁５２の左側の空間部から成る。
段状仕切壁５２の右側は、図１１に示すように、段状仕切壁５２の右側前部と排気側連絡空間５０ａの下方部とが段状に一体に連通された段状空間部５０１ｂである。この段状空間部５０１ｂは、下水平仕切壁１ｃに形成された開口部６２ａ（図９参照）を介し、連通路部６０の給気連通路６２に連通されている。
【００５１】
段状仕切壁５２の左側の空間部は、前後方向の中央部、すなわち、前後のドレンパン５１の境界部に左右方向に延びる縦仕切壁５３が設けられ、この縦仕切壁５３により、前後２個の分岐空間部５０２ｂに分割されている（図３、図１０参照）。この２個の分岐空間部５０２ｂは、以下に述べるような構造を備えたものであって、同一仕様に構成されている。
【００５２】
分岐空間部５０２ｂは、図２に示すように、それぞれ前後に仕切る内部仕切壁５６を有し、この内部仕切壁５６の上方部を前面側に傾斜させることにより給気ファン２１１の出口に開口された開口部４３ａ（図１０参照）からの室外空気を分岐空間部５０２ｂにおける内部仕切壁５６の背部に導入するように形成されている。また、内部仕切壁５６の背部には、図２に示すように、室内に給気される室外空気を加熱又冷却する熱交換器２５が配置されている。この熱交換器２５は、冷水又は温水を通水する水用熱交換器である。また、この加熱又冷却用の熱交換器２５は、内部仕切壁５６に設けられた開口部（図示省略）に面して設けられており、熱交換器２５を通過した空気がこの内部仕切壁５６の前側に流通するように形成されている。また、内部仕切壁５６の前側の空間部は、段状仕切壁５２の下方の段部に設けられた開口部５７を介し段状空間部５０１ｂに連通している。
【００５３】
また、図２に示すように、内部仕切壁５６の前側には、熱交換器２５を通過した空気を加湿するための加湿器２４が配置されている。
なお、図１１においては、連絡空間部５０のケーシング構造を理解しやすくするために、前面板、下水平仕切壁１ｃ、内部仕切壁５６、熱交換器２５、加湿器２４等を省略している。
【００５４】
加湿器２４は、図４に示すように、複数の（この場合４個の）分割加湿器２４ａにより構成されている。そして、加湿器２４は、本体１の側面に形成された下サービス蓋１５、１６を開くと、スライド式に着脱可能にこの下サービス蓋１５、１６の内部に収納されている。
【００５５】
次に、連通路部６０は、図３から分かるように、ダクト接続部３０の下方の、本体１の高さ方向中央の右側部分を成す。
また、連通路部６０は、図２、図３及び図９から分かるように前後に仕切る縦仕切壁６１により前後に仕切られている。この縦仕切壁６１の前側は、全熱交換装置２３で熱交換された室外空気を室内へ搬送するための給気連通路６２を成す。また、縦仕切壁６１の後側は、室内空気を全熱交換装置２３へ搬送するための排気連通路６３を成す。
【００５６】
給気連通路６２の上部は、図８及び図９から分かるように、上水平仕切壁１ａに形成された開口部３６ａを介しダクト接続部３０の空間部３６に連通されている。なお、この空間部３６は、前述のように室内給気口３に連通している。また、給気連通路６２の下部は、前述ように下水平仕切壁１ｃに形成された開口部６２ａを介し連絡空間部５０の給気側連絡空間５０ｂを構成する段状空間部５０１ｂに連通されている。
【００５７】
排気連通路６３の上部は、図８及び図９から分かるように、上水平仕切壁１ａに形成された開口部３７ａを介し、ダクト接続部３０の空間部３７に連通されている。なお、この空間部３７は、前述のように室内吸込口４に連通している。また、排気連通路６３の下部は、前述のように下水平仕切壁１ｃに形成された開口部６３ａを介し連絡空間部５０の排気側連絡空間５０ａの右側上面部に連通されている。
【００５８】
以上のように構成された本実施の形態に係る換気装置の作用について記載する。
先ず、本実施の形態に係る換気装置における換気運転について説明する。換気運転を行うに当たり、熱交分岐ユニット部４０Ａにおける給気通路側の分岐通路４３に配置された給気ファン２１１、及び、熱交分岐ユニット部４０Ａにおける排気通路側の分岐通路４５に配置された排気ファン２２１を運転する。これにより、図２に示すように、室外空気が室外吸込口２から吸い込まれる。この室外空気は、ダクト接続部３０における空間部３５、上水平仕切壁１ａに形成された開口部３５ａ、熱交分岐ユニット部４０Ａにおける仕切壁４２背部の給気通路側の分岐通路４３を介して、全熱交換エレメント２３１に導かれる。この室外空気は、この全熱交換エレメント２３１において室外に排気される室内空気と全熱交換される。
【００５９】
室内へ供給される室外空気は、全熱交換エレメント２３１において排気される室内空気と全熱交換されることにより、一般的な使用の場合、夏季においては冷却及び減湿され、冬季においては加熱及び加湿される。全熱交換エレメント２３１においてこのような熱交換が行われることにより、排気から熱を回収することでき経済的な換気運転を行うことができる。また、夏季等において、全熱交換エレメント２３１通過後の、室内へ給気される室外空気の温度及び湿度を減少させたいときは、給気側連絡空間５０ｂの分岐空間部５０２ｂに配置された熱交換器２５に冷水を流通させることにより、全熱交換エレメント２３１通過後の室外空気の温度及び湿度を調整することができる。また、冬季等において、全熱交換エレメント２３１通過後の、室内へ給気される室外空気の温度及び湿度を増加させたいときは、給気側連絡空間５０ｂの分岐空間部５０２ｂに配置された熱交換器２５に温水を流通させるとともに、加湿器２４を作動させることにより、全熱交換エレメント２３１通過後の室外空気の温度及び湿度を調整することができる。
【００６０】
全熱交換エレメント２３１において全熱交換された室外空気は、給気側連絡空間５０ｂの分岐空間部５０２ｂに搬送され、この分岐空間部５０２ｂにおいて前述のように熱交換器２５及び加湿器２４を通過した後、段状空間部５０１ｂを経由して連通路部６０の給気連通路６２に搬送される。そして、給気連通路６２に搬送された室外空気は、ダクト接続部３０の空間部３６及び室内給気口３を介して室内へ給気される。
【００６１】
上記のように室内へ給気される室外空気と全熱交換される室内空気は、図３に示すように、室内吸込口４から吸い込まれ、ダクト接続部３０の空間部３７、上水平仕切壁１ａの開口部３７ａ、連通路部６０の排気連通路６３、下水平仕切壁１ｃの開口部４５ａ、及び連絡空間部５０の排気側連絡空間５０ａを経由して全熱交換エレメント２３１に搬送される。また、この全熱交換エレメント２３１で室外空気と全熱交換されて、潜熱エネルギー及び顕熱エネルギーが回収された後、排気通路側の分岐通路４５、上水平仕切壁１ａの開口部３８ａ、及び室外排気口５から室外へ排気される。
【００６２】
次に、このような熱交換作用を行う換気装置に収納された機器のサービスについて説明する。
全熱交換エレメント２３１は、長期使用により空気通路２３１４，２３１５に塵埃が付着することがある。この場合には、複数の（この場合２個の）分割全熱交換エレメント２３１ａからなる全熱交換エレメント２３１を取り出して清掃される。この場合、前述の図４のように、本体１の左側面の上サービス蓋１３，１４を開放することにより、枠部材２３２から分割全熱交換エレメント２３１ａがスライド式に取り出し、清掃後スライド式に収納することができる。
【００６３】
また、加湿器２４についても長期使用によりエレメントを交換する必要が生ずる場合がある。この場合は、図４に示すように、下サービス蓋１５，１６を開放することにより、加湿器２４を構成する複数の（この場合４個の）分割加湿器２４ａがスライド式に着脱することができる。なお。これら分割加湿器２４ａは、下前面パネル１２を取り外してサービスすることも可能になっている。
【００６４】
また、給気ファン装置２１を構成する給気ファン２１１、及び排気ファン装置２２を構成する排気ファン２２１をサービスする場合は、上前面パネル１１又は不図示の上背面パネルをサービスすることもできる。
【００６５】
次に、このように構成された換気装置の容量の変更について述べる。
上記記載の換気装置において、各部の構成を標準化したものとしておく。そして、異なる容量の換気装置を受注し、これを設計するときは、まず、全熱交換装置２３が配置される部分における分岐数、全熱交換装置２３を構成する分割全熱交換エレメント２３１ａの個数、又は分割全熱交換エレメント２３１ａの容量を変更するとともに、これに見合うように他の部分を設定することにより対応するようにする。こうすると、設計思想の共通化及び全熱交換エレメント２３１を含む部品の共通化により、コスト軽減を行うと共に、納期の短縮を行うことができる。
【００６６】
例えば、１．５倍の熱交換容量の換気装置を受注した場合には、熱交分岐ユニット部４０Ａの仕様を標準化しておき、その仕様を変更しないで熱交ユニット部４０における熱交分岐ユニット部４０Ａの個数を３個にする。また、この分岐個数に合わせて連絡空間部５０の分岐空間部５０２ｂを３個にする。従って、ダクト接続部３０、連絡空間部５０、及び連通路部６０の前後方向の寸法を略１．５倍として、熱交ユニット部４０に対する相互接続を前述の場合と同様に維持されるようにすることにより、容易に１．５倍の容量の換気装置を得ることができる。また、これと同様に、熱交分岐ユニット部４０Ａの個数を４個にするとともに、連絡空間部５０の分岐空間部５０２ｂを４個にすることにより、上述の実施の形態の場合の２倍とすることができる。なお、以上のように換気装置の容量を増大させたい場合、ダクト接続口の形状を平面視円形から長方形に変更すれば、換気風量の増大に合わせてダクト接続口の寸法を大きくすることが容易になる。
【００６７】
また、例えば、約半分の容量の換気装置を受注したときは次のように行う。
このときには、熱交ユニット部４０における熱交分岐ユニット部４０Ａ及び分岐空間部５０２ｂの個数をそれぞれ１個にすることで可能となる。しかし、この場合には本体の前後方向の寸法が小さくなり強度的に無理な構造体となることもあり得る。このような場合の対応として、熱交分岐ユニット部４０Ａの個数を２個のままとする。そして、熱交分岐ユニット部４０Ａの個数を半分にすることに代えて、全熱交換エレメント２３１を構成する分割全熱交換エレメント２３１ａの個数を１個にするとともに、給気ファン２１１及び排気ファン２２１の回転数を変更して風量を低下させるようにする。また、この場合、加湿器２４及び熱交換器２５は、約半分の能力となるように調整すればよい。
【００６８】
さらに、多種の容量を容易に可能とする方法として次のようにしてもよい。上記実施の形態のものに加えて、各熱交分岐ユニット部４０Ａに収納される分割全熱交換エレメント２３１ａを３個として、上述のものよりも容量を大きくしたものもの、並びに、分割全熱交換エレメント２３１ａを１個として、上述のように容量を半分にしたものを標準化しておき、これらを適宜選択できるようにしていてもよい。このようにしておくと、熱交ユニット部４０における熱交分岐ユニット部４０Ａの個数の変更と、全熱交換エレメント２３１を構成する分割全熱交換エレメント２３１ａの個数の変更をミックスさせることにより、容量の変更をきめ細かく容易に変更することができる。なお、このような標準化において全熱交換エレメント２３１、給気ファン２１１、排気ファン２２１等の部品の共通化及びこれら部品の取り付け構造の共通化を行えば、コストも軽減される。
【００６９】
本実施の形態に係る換気装置は、以上のように構成されているので、次のような効果を奏することができる。
（１）給気通路２０Ａ及び排気通路２０Ｂは、全熱交換装置２３が配置される部分においてそれぞれ分岐され、この分岐数に対応して全熱交換装置２３が複数の全熱交換エレメント２３１に分割されている。したがって、この分岐数を増減させることにより全熱交換可能な換気装置の容量を段階的に変化させることができる。また、全熱交換エレメント２３１を含むその周辺を共通化すると、分岐数の増減を容易化することができ、これにより異なる容量の機種を同一設計思想の下に系列化することができる。また、このような設計思想の共通化及び全熱交換エレメント２３１を含む部品の共通化により、コスト軽減を行うと共に、納期の短縮を行うことができる。
【００７０】
（２）給気ファン装置２１は、２個の給気通路側の分岐通路４３における全熱交換エレメント２３１の下流側に分散配置された２台の給気ファン２１１から構成され、同様に、排気ファン装置２２は、２個の排気通路側の分岐通路４５における全熱交換エレメント２３１の下流側に分散配置された２台の排気ファン２２１から構成されている。したがって、給気通路側の分岐通路４３および排気通路側の分岐通路４５に給気ファン２１１、排気ファン２２１及び全熱交換エレメント２３１が配置されているので、これら部品の共通化により給気通路２０Ａ及び排気通路２０Ｂの分岐数に対応する容量の機種を系列化することができる。また、これら部品の共通化により、給気通路２０Ａ及び排気通路２０Ｂの分岐数の増減をより一層容易化することができる。また、これにより、より一層のコスト軽減を行うと共に、納期の短縮を行うことができる。
【００７１】
（３）本体１が、ダクト接続部３０、熱交ユニット部４０、連通路部６０、連絡空間部５０とに区分されるので、これら区分毎に仕様を標準化することができる。また、熱交ユニット部４０については、これを構成する熱交分岐ユニット部４０Ａを標準化することができる。したがって、熱交分岐ユニット部４０Ａの個数を決定し、熱交分岐ユニット部４０Ａを一定の方向に配列することにより、換気装置の容量及び熱交ユニット部４０の形状寸法を定めることができる。また、ダクト接続部３０、連通路部６０、及び連絡空間部５０の形状及び寸法を熱交ユニット部４０に対応させて定めれば、熱交分岐ユニット部４０Ａの個数に対応した容量の換気装置を容易に設計することができる。
【００７２】
（４）連絡空間部５０における給気側連絡空間５０ｂの各分岐空間部５０２ｂに、加湿器２４と加熱又は冷却用の熱交換器２５とが配置されているので、これら機器を作動させることにより、室内の温度及び湿度を効率よく調節する換気運転を行うことができる。
【００７３】
（５）熱交分岐ユニット部４０Ａの個数を変更することに加え、各熱交分岐ユニット部４０Ａに配置された全熱交換エレメント２３１を構成する分割全熱交換エレメント２３１ａの数を変更することにより、換気装置の容量を変更することもできる。これにより、換気装置の容量変更をきめ細かく行うことができる。
【００７４】
（６）給気ファン装置２１及び排気ファン装置２２は、前面又は後面から点検、交換などのサービスを行うことが可能となるので、これら装置のサービスを容易化することができる。
【００７５】
（７）複数の熱交分岐ユニット部４０Ａは、それぞれ、全熱交換エレメント２３１の空気通過面と直交する一面から、複数の分割全熱交換エレメント２３１ａをスライド式に着脱可能に形成されているので、全熱交換エレメント２３１の清掃、交換などのサービスを容易に行うことができる。
【００７６】
（８）ダクト接続部３０は、本体１の最上部に配置されるとともに、室外吸込口２、室内給気口３、室内吸込口４、及び室外排気口５が当該ダクト接続部３０の天面に配置されているので、ダクト引き回しスペースを天井裏等の本体１の上部とすることができる。これにより、本体１の周囲に、本体１の内部に収納される装置の点検、搬入スペースを広く採ることができる。
【００７７】
（変形例）
上記実施の形態において以下のように変更することもできる。
・本発明の換気装置は、上記実施形態に限定されることなく、以下の変形例も可能である。なお、以下の変形例は、異なる変形例同士を互いに組み合わせてもよい。
【００７８】
・前記実施の形態においては、全熱交換エレメント２３１を構成する分割全熱交換エレメント２３１ａを２個とした例を記載していたが、これに限定されるものではない。前述のように、異なる容量の換気装置の設計のために分割全熱交換エレメント２３１ａを１個あるいは３個以上の適宜の数としてもよい。
【００７９】
・給気ファン装置２１及び排気ファン装置２２は、回転数可変形のファン装置としてもよい。この場合には、全熱交換装置２３の容量変更に合わせて適宜の風量の選定が容易になる。
【００８０】
・ダクト接続口は、本体１の天面に４個配置されていたが、本体１の周囲側部にアフターサービス及び機器搬入に必要な作業スペースを確保できればよく、本体１上部のダクト接続部３０の側部の設けるようにしてのよい。
【００８１】
・各部の仕切壁の構造、例えば、熱交分岐ユニット部４０Ａにおける仕切壁４２，４６、水平仕切壁４４，４８、連絡空間部５０における段状仕切壁５２、縦仕切壁５３、５４、水平仕切壁５５、内部仕切壁５６等は、この換気装置の機能を逸脱しない範囲において適宜に変更することができる。
【００８２】
・加湿器２４は、特に仕様が限定されるものではない。
・熱交換器２５は、前記実施の形態においては冷水又は温水を通水させる水用熱交換器とされているが、ヒートポンプ式の冷凍装置の室内熱交換器であってもよい。
【符号の説明】
【００８３】
１…本体、２…室外吸込口、３…室内給気口、４…室内吸込口、５…室外排気口、２０Ａ…給気通路、２０Ｂ…排気通路、２１…給気ファン装置、２２…排気ファン装置、２３…全熱交換装置、２４…加湿器、２５…熱交換器、３０…ダクト接続部、４０…熱交ユニット部、４０Ａ…熱交分岐ユニット部、４３…（排気通路側の）分岐通路、４５…（給気通路側の）分岐通路、５０…連絡空間部、５０ａ…排気連絡空間、５０ｂ…給気連絡空間、６０…連通路部、６２…給気連通路、６３…排気連通路、２１１…給気ファン、２２１…排気ファン、２３１…全熱交換エレメント、２３１ａ…分割全熱交換エレメント、５０２ｂ…分岐空間部。
【図１】
2013096629.tif 000003
【図２】
2013096629.tif 000004
【図３】
2013096629.tif 000005
【図４】
2013096629.tif 000006
【図５】
2013096629.tif 000007
【図６】
2013096629.tif 000008
【図７】
2013096629.tif 000009
【図８】
2013096629.tif 000010
【図９】
2013096629.tif 000011
【図１０】
2013096629.tif 000012
【図１１】
2013096629.tif 000013